(57)【特許請求の範囲】
【請求項１】
建物の外壁に取り付けられた取付部から軒先側に延びる支持腕部の先端部側と基端部側とにそれぞれ設けられた各係合部に樹脂製軒樋の両側壁上部に形成された各耳部を係合させて前記軒樋を固定するための樹脂製軒樋取付具であって、
前記各耳部と係合する前記各係合部の各当接部に前記軒樋との間の摩擦を低減させる緩衝性の介装部材がそれぞれ装着され、
該介装部材が、前記各耳部と前記各係合部との各当接部の間に別部品として装着されるアルミ介装部材であり、
該アルミ介装部材が、前記各耳部と前記各係合部との各当接部の間に介装可能な介装部と、該介装部に対し、介装部よりも幅手方向に長くなるように一体に設けられて、前記支持腕部に巻き付けたり前記支持腕部を両側から挟着するように折り曲げたりして前記支持腕部に固定される保持部と、を有することを特徴とする樹脂製軒樋取付具。
【発明の詳細な説明】
【技術分野】
【０００１】
建物の外壁に軒樋を固定するための樹脂製軒樋取付具に関する。
【背景技術】
【０００２】
従来から、建物の外壁に軒樋を固定するための樹脂製軒樋取付具が知られている（例えば、特許文献１等参照）。
【０００３】
図４（ａ）において、符号１は建物の軒先に設けられた鼻隠し板、符号２は鼻隠し板１に取り付けられる本従来例の軒樋取付具、符号３は軒樋取付具２によって鼻隠し板１に固定される軒樋である。
【０００４】
軒樋取付具２はポリカーボネート製で、射出成形により一体形成されており、鼻隠し板１に取り付けられる略Ｔ字形状の取付部２Ａと、取付部２Ａの中央上部から軒先側に延びる支持腕部２Ｂとを有している。
【０００５】
取付部２Ａには、３つのネジ穴２Ａａが形成されており、取付部２Ａは、３本のネジＳによって鼻隠し板１に取り付けられている。
【０００６】
図４（ｂ）に示すように、支持腕部２Ｂは側面視が下に凸の略弓形形状を呈しており、支持腕部２Ｂの先端部には上向きに延びる係合爪部２Ｂａが形成されている。
【０００７】
また、支持腕部２Ｂの基端部下部には凹状の受容部２Ｂｂが形成されており、受容部２Ｂｂの下端部には建物側に向かって延びる係合爪部２Ｂｃが形成されている。
【０００８】
本従来例に係る軒樋３はポリ塩化ビニル製で、押出成形により一体形成されており、軒樋３の両側壁上部には、それぞれ耳部３ａ，３ｂが形成されている。
【０００９】
軒樋３の軒先側に形成された耳部３ａには、軒樋取付具２の係合爪部２Ｂａを受け入れる係合溝３ｃと、係合爪部２Ｂａが係合溝３ｃから外れないように係止する係止部３ｄとが軒樋３の伸びる方向に沿って形成されている。
【００１０】
軒樋３の建物側に形成された耳部３ｂは、軒樋３の伸びる方向に沿って軒樋３の内側に向けて膨出形成されており、軒樋取付具２の係合爪部２Ｂｃと係合するようになっている。
【００１１】
そして、係合溝３ｃに係合爪部２Ｂａを係合させた状態で、耳部３ｂを係合爪部２Ｂｃに係合させることによって、軒樋３は軒樋取付具２に装着される。
【特許文献１】特開２０００−８５６３号公報
【発明の開示】
【発明が解決しようとする課題】
【００１２】
ところで、係合爪部２Ｂａと係合溝３ｃ、あるいは、受容部２Ｂｂと耳部３ｂの間には、図４（ｂ）に示すように、装着時の必要性からある程度の隙間が設けられている。
【００１３】
しかしながら、このような隙間があるために、例えば、軒樋３が風により煽られると、係合爪部２Ｂａと係合溝３ｃ、あるいは、受容部２Ｂｂと耳部３ｂなどが干渉して接触音が生じる。
【００１４】
そこで、このような接触音を防止するために、上記の隙間を小さくすると、軒樋３の軒樋取付具２への装着が困難になり、装着の施工性が損なわれる。
【００１５】
また、本従来例の軒樋取付具２は、例えば、気温の変化に伴い軒樋３が長手方向に伸縮すると、図４（ｃ）に示すように、支持腕部２Ｂの先端部が軒樋３と共に移動して（図４（ｃ）に示す一点鎖線）、支持腕部２Ｂが変形することがあった。
【００１６】
そして、この支持腕部２Ｂの変形が一定の変形量を越えると、支持腕部２Ｂは定位置（図４（ｃ）に実線で示す位置）に一気に戻り、このとき、支持腕部２Ｂの先端部が軒樋３の係合溝３ｃと擦れて音鳴りを生じる。
【００１７】
一般に、ポリカーボネート同士あるいはポリカーボネートとポリ塩化ビニルなどの樹脂同士の摩擦係数は比較的大きく、これらの樹脂同士が擦れるときに音鳴りを生じ易い。
【００１８】
本発明は、上記問題を鑑みてなされたものであり、軒樋と軒樋取付具との干渉により生じる接触音や、気温の変化に伴う軒樋の熱収縮に起因する軒樋と軒樋取付具との擦れ音を抑制できる軒樋取付具を提供することを目的としている。
【課題を解決するための手段】
【００１９】
上記目的を達成するために請求項１に記載された発明は、建物の外壁に取り付けられた取付部から軒先側に延びる支持腕部の先端部側と基端部側とにそれぞれ設けられた各係合部に樹脂製軒樋の両側壁上部に形成された各耳部を係合させて前記軒樋を固定するための樹脂製軒樋取付具であって、前記各耳部と係合する前記各係合部の各当接部に前記軒樋との間の摩擦を低減させる緩衝性の介装部材がそれぞれ装着され、該介装部材が、前記各耳部と前記各係合部との各当接部の間に別部品として装着されるアルミ介装部材であり、該アルミ介装部材が、前記各耳部と前記各係合部との各当接部の間に介装可能な介装部と、該介装部に対し、介装部よりも幅手方向に長くなるように一体に設けられて、前記支持腕部に巻き付けたり前記支持腕部を両側から挟着するように折り曲げたりして前記支持腕部に固定される保持部と、を有する樹脂製軒樋取付具を特徴としている。
【発明の効果】
【００２０】
請求項１に記載の樹脂製軒樋取付具では、各耳部と係合する各係合部の各当接部に軒樋との間の摩擦を低減させる緩衝性の介装部材がそれぞれ装着されているので、各耳部と各係合部とが、それぞれ互いに滑りやすくなり、気温変化などによる軒樋の伸縮に伴って当接部が共に移動することによって生じる支持腕部の弾性変形が生じ難くなる。
【００２１】
したがって、このような軒樋取付具の弾性変形によるエネルギーの蓄積が解放される際に発生する擦れ音の発生を抑制できる。
【００２２】
また、介装部材は緩衝性を有しているので、軒樋が風などに煽られて軒樋取付具の各当接部と干渉する際に生じる接触音の発生を抑制できる。
しかも、介装部材を、各耳部と各係合部との各当接部の間に別部品として装着されるアルミ介装部材としたことにより、既設の軒樋に対しても、軒樋を取り外すことなく装着することができ、施工性が良い。
更に、アルミ介装部材を、介装部と、この介装部よりも幅手方向に長い保持部とを一体に有するものとしたことにより、介装部を各耳部と各係合部との各当接部の間に介装し、保持部を支持腕部に巻き付けたり支持腕部を両側から挟着するように折り曲げたりして支持腕部に固定させることができる。
【発明を実施するための最良の形態】
【００２３】
以下、本発明に係る実施の形態を実施例に基づいて説明する。
【実施例１】
【００２４】
〈構成〉
図１（ａ）において、符号１１は建物の軒先に設けられた鼻隠し板、符号１２は鼻隠し板１１に取り付けられる本実施例の軒樋取付具、符号１３は軒樋取付具１２によって鼻隠し板１１に固定される軒樋である。
【００２５】
軒樋取付具１２はポリカーボネート製で、射出成形により一体形成されており、鼻隠し板１１に取り付けられる略Ｔ字形状の取付部１２Ａと、取付部１２Ａの中央上部から軒先側に延びる支持腕部１２Ｂとを有している。
【００２６】
取付部１２Ａには、３つのネジ穴１２Ａａが形成されており、取付部１２Ａは、３本のネジＳによって鼻隠し板１１に取り付けられている。
【００２７】
図１（ｂ）に示すように、支持腕部１２Ｂは側面視が下に凸の略弓形形状を呈しており、支持腕部１２Ｂの先端部には上向きに延びる係合爪部１２Ｂａが形成されている。
【００２８】
また、支持腕部１２Ｂの基端部下部には凹状の受容部１２Ｂｂが形成されており、受容部１２Ｂｂの下端部には建物側に向かって延びる係合爪部１２Ｂｃが形成されている。
【００２９】
本実施例に係る軒樋１３はポリ塩化ビニル製で、押出成形により一体形成されており、軒樋１３の両側壁上部には、それぞれ耳部１３ａ，１３ｂが形成されている。
【００３０】
軒樋１３の軒先側に形成された耳部１３ａには、軒樋取付具１２の係合爪部１２Ｂａを受け入れる係合溝１３ｃと、係合爪部１２Ｂａが係合溝１３ｃから外れないように係止する係止部１３ｄとが軒樋１３の伸びる方向に沿って形成されている。
【００３１】
軒樋１３の建物側に形成された耳部１３ｂは、軒樋１３の伸びる方向に沿って軒樋１３の内側に向けて膨出形成されており、軒樋取付具１２の係合爪部１２Ｂｃと係合するようになっている。
【００３２】
そして、係合爪部１２Ｂａの耳部１３ａと当接あるいは近接する部分には不織布Ｆ１が接着されており、受容部１２Ｂｂおよび係合爪部１２Ｂｃの耳部１３ｂと当接あるいは近接する部分には不織布Ｆ２が接着されている。
【００３３】
このように、本実施例の軒樋取付具１２では、各耳部１３ａ，１３ｂと係合する各係合爪部１２Ｂａ，１２Ｂｃの各当接部に軒樋１３との間の摩擦を低減させる不織布Ｆ１，Ｆ２がそれぞれ接着されている。
【００３４】
そして、係合溝１３ｃに係合爪部１２Ｂａを係合させた状態で、耳部１３ｂを係合爪部１２Ｂｃに係合させることによって、軒樋１３は軒樋取付具１２に装着される。
【００３５】
〈作用効果〉
本実施例の樹脂製軒樋取付具１２では、各耳部１３ａ，１３ｂと係合する各係合爪部１２Ｂａ，１２Ｂｃの各当接部に軒樋１３との間の摩擦を低減させる不織布Ｆ１，Ｆ２がそれぞれ接着されているので、各耳部１３ａ，１３ｂと各係合爪部１２Ｂａ，１２Ｂｃとが、それぞれ互いに滑りやすくなり、軒樋１３の伸縮に伴って係合爪部１２Ｂａの当接部が共に移動することにより生じる支持腕部１２Ｂの弾性変形が生じ難くなる。
【００３６】
しかも、不織布Ｆ１，Ｆ２の表面部は、軒樋１３の摺動方向に変形自由度を有しているため、軒樋１３の熱伸縮による軒樋取付具１２と軒樋１３とのズレをある程度吸収するので、不織布Ｆ１，Ｆ２を接着しない場合に比べて、軒樋１３の伸縮に伴って係合爪部１２Ｂａの当接部が共に移動することにより生じる支持腕部１２Ｂの弾性変形が生じ難くなる。
【００３７】
したがって、このような軒樋取付具１２の弾性変形によるエネルギーの蓄積が解放される際に発生する擦れ音の発生を抑制できる。
【００３８】
また、不織布Ｆ１，Ｆ２は緩衝性を有しているので、軒樋１３が風などに煽られて軒樋取付具１２の各当接部と干渉する際に生じる接触音の発生を抑制できる。
【実施例２】
【００３９】
以下、実施例２について、実施例１と異なる部分を中心に説明する。なお、実施例１と同様の内容については説明を省略し、図面の符号については、実施例１と同一ないし均等な部分には同一の符号を付すものとする。
【００４０】
〈構成〉
図２において、符号ＦＡは本実施例に係る軒先側のアルミ介装部材、符号ＦＢは本実施例に係る建物側のアルミ介装部材である。
【００４１】
実施例２では、実施例１に係る不織布Ｆ１，Ｆ２は係合爪部１２Ｂａ，１２Ｂｃに接着されず、不織布Ｆ１，Ｆ２の代わりにアルミ介装部材ＦＡ，ＦＢが装着される。
【００４２】
アルミ介装部材ＦＡは、略長方形状の保持部ＦＡａと、保持部ＦＡａの幅手方向一端縁中央部から伸びる断面略Ｕ字形状の介装部ＦＡｂとによって構成されている。
【００４３】
アルミ介装部材ＦＡは、介装部ＦＡｂで係合爪部１２Ｂａを上側から覆った状態で、保持部ＦＡａを支持腕部１２Ｂに巻き付けることによって、支持腕部１２Ｂに固定される。
【００４４】
また、アルミ介装部材ＦＢは、略長方形状の保持部ＦＢａと、保持部ＦＢａの幅手方向一端縁中央部から垂直に伸びる略長方形状の介装部ＦＢｂとによって構成されており、介装部ＦＢｂの大きさは、係合爪部１２Ｂｃの平面視の大きさと同程度になっている。
【００４５】
アルミ介装部材ＦＢは、介装部ＦＢｂの終端縁を建物側に向けて介装部ＦＢｂを係合爪部１２Ｂｃの上側に当接させた状態で、保持部ＦＢａの両端部を軒先側に折り曲げ、折り曲げた保持部ＦＢａの両端部によって支持腕部１２Ｂを両側から狭持することにより、支持腕部１２Ｂに固定される。
【００４６】
軒樋取付具１２と軒樋１３との装着状態では、介装部ＦＡｂが係合爪部１２Ｂａと耳部１３ａの係合溝１３ｃとの間に介装され、介装部ＦＢｂが係合爪部１２Ｂｃと耳部１３ｂとの間に介装される。
【００４７】
アルミ介装部材ＦＡ，ＦＢは、薄手のアルミ板によって形成されているので、素手で自在に折り曲げ可能になっている。
【００４８】
〈アルミ介装部材ＦＡ，ＦＢの装着方法〉
図３に示すように、軒樋１３を軒樋取付具１２に装着した状態（図３（ａ）参照）で、軒樋１３を少し持ち上げて隙間を作り、各耳部１３ａ，１３ｂと各係合爪部１２Ｂａ，１２Ｂｃとの間にそれぞれアルミ介装部材ＦＡ，ＦＢを差し込み（図３（ｂ）参照）、これらのアルミ介装部材ＦＡ，ＦＢの各保持部ＦＡａ，ＦＢａを支持腕部１２Ｂにそれぞれ巻き付けることにより軒樋取付具１２に装着する（図３（ｃ）参照）。
【００４９】
〈作用効果〉
本実施例の樹脂製軒樋取付具１２では、各耳部１３ａ，１３ｂと係合する各係合爪部１２Ｂａ，１２Ｂｃの各当接部に軒樋１３との間の摩擦を低減させるアルミ介装部材ＦＡ，ＦＢがそれぞれ装着されているので、各耳部１３ａ，１３ｂと係合部１２Ｂａ，１２Ｂｃとが、それぞれ互いに滑りやすくなり、軒樋１３の伸縮に伴って係合爪部１２Ｂａの当接部が共に移動することにより生じる支持腕部１２Ｂの弾性変形が生じ難くなる。
【００５０】
したがって、このような軒樋取付具１２の弾性変形によるエネルギーの蓄積が解放される際に発生する擦れ音の発生を抑制できる。
【００５１】
また、アルミ介装部材ＦＡ，ＦＢはアルミの弾性により緩衝性を有しているので、軒樋１３が風などに煽られて軒樋取付具１２の各当接部と干渉する際に生じる接触音の発生を抑制できる。
【００５２】
しかも、本実施例に係るアルミ介装部材ＦＡ，ＦＢは、軒樋取付具１２に軒樋１３を装着した状態で装着可能なので、既設の軒樋１３であっても、軒樋取付具１２から軒樋１３を取り外すことなく装着でき、アルミ介装部材ＦＡ，ＦＢの装着の施工性がよい。
【００５３】
以上、図面を参照して、本発明の最良の実施の形態を詳述してきたが、具体的な構成は、この実施の形態に限らず本発明の要旨を逸脱しない程度の設計的変更は本発明に含まれる。
【００５４】
なお、実施例１，２では、軒樋取付具１２はポリカーボネート製で、軒樋１３はポリ塩化ビニル製であったが、これらの樹脂に限るものではない。
【００５５】
また、実施例２では、軒樋取付具１２に軒樋１３が装着された状態で、アルミ介装部材ＦＡ，ＦＢを軒樋取付具１２に装着したが、軒樋１３を軒樋取付具１２から取り外した状態で装着してもよい。
【図面の簡単な説明】
【００５６】
【図１】図（ａ）は実施例１に係る軒樋取付具を含む分解斜視図であり、建物の外壁と軒樋取付具と軒樋との部分破断斜視図，図（ｂ）は図（ａ）のＡ矢視方向から見た側断面図である。
【図２】実施例２に係るアルミ介装部材の図であり、図（ａ）は軒先側のアルミ介装部材の斜視図、図（ｂ）は壁側のアルミ介装部材の斜視図である。
【図３】実施例２に係るアルミ介装部材の装着手順を示す部分斜視図であり、図（ａ）はアルミ介装部材の挿入前の状態を示す図、図（ｂ）はアルミ介装部材を挿入した状態を示す図、図（ｃ）はアルミ介装部材を折り曲げ、支持腕部に装着した状態を示す図である。
【図４】図（ａ）は従来例に係る軒樋取付具を含む分解斜視図であり、建物の外壁と軒樋取付具と軒樋との部分破断斜視図，図（ｂ）は図（ａ）のＢ矢視方向から見た側断面図である。図（ｃ）は図（ａ）のＣ矢視方向から見た平面図であり、従来例の軒樋取付具の問題点を示す図である。
【符号の説明】
【００５７】
１１                    鼻隠し板（外壁）
１２                    軒樋取付具（樹脂製軒樋取付具）
１２Ａ                  取付部
１２Ｂ                  支持腕部
１２Ｂａ                係合爪部（先端部側の係合部）
１２Ｂｃ                係合爪部（基端部側の係合部）
１３                    軒樋
１３ａ，１３ｂ          耳部
Ｆ１，Ｆ２              不織布（介装部材）
ＦＡ，ＦＢ              アルミ介装部材（介装部材）
【図１】
0005416368.tif 000002
【図２】
0005416368.tif 000003
【図３】
0005416368.tif 000004
【図４】
0005416368.tif 000005